(57)【要約】      （修正有）【課題】上階縦樋と下階ルーフドレインが縁切りされ空間部を設けている寒冷地のマンションのバルコニーにおいて、冬期は上階縦樋を凍結による破損をさせず、冬期以外の時期には下階ルーフドレイン周辺への水跳ねを防止することができる、寒冷地用水跳ね防止カバーを提供する。【解決手段】上階縦樋に対して上下移動可能且つ移動後に適宜位置で固定可能に装着される第１スライド部材１０と、第１スライド部材１０の外方に配置し、第１スライド部材１０に対して上下移動可能且つ移動後に適宜位置で固定可能に装着される第２スライド部材２０で構成される。【選択図】図１
0003191280.tif 000002
【実用新案登録請求の範囲】
【請求項１】
上階縦樋と下階ルーフドレインが縁切りされ空間部を設けている施工に用いられる寒冷地用水跳ね防止カバーであって、
上階縦樋に対して上下移動可能且つ移動後に適宜位置で固定可能に装着される第１スライド部材と、前記第１スライド部材の外方に配置し、前記第１スライド部材に対して上下移動可能且つ移動後に適宜位置で固定可能に装着される第２スライド部材で構成されたことを特徴し、
冬期は、前記第１スライド部材の下面と前記第２スライド部材の下面が、上階縦樋の下面と同じ高さもしくはそれより上方になるように、前記第１スライド部材と前記第２スライド部材を移動させ、
冬期以外の時期は、第２スライド部材が下階ルーフドレインのストレーナの周壁部をほぼ覆う状態になるように、前記第１スライド部材と前記第２スライド部材を移動させる、寒冷地用水跳ね防止カバー。
【請求項２】
前記第１スライド部材は、第１管と、第１固定リングと、第１固定ナット及び脱落防止リングで構成され、
（ａ）前記第１管は貫通した中空筒体であり、上端部に雄ネジ部と、その雄ネジ部の連続した下方に平滑部と、その平滑部の下部に脱落防止リングを装着する溝を形成し、
（ｂ）前記第１固定リングは、その円周上に１個の切れ目とテーパ状外周面を形成し、前記第１管の上端に載置され、
（ｃ）前記第１固定ナットは、上階縦樋が挿入される挿入口部と、その挿入口部の下方に前記第１固定リングのテーパ状外周面と同じ勾配で接するテーパ状内周面と、そのテーパ状内周面の下方に第１管の前記雄ネジ部と螺合する雌ネジ部が形成されており、
前記第２スライド部材は、第２管と、第２固定リングと、第２固定ナットで構成され、
（ｅ）前記第２管は貫通した中空筒体であり、上端部に雄ネジ部と、その雄ネジ部の連続した下方に平滑部を形成し、
（ｆ）前記第２固定リングは、その円周上に１個の切れ目とテーパ状外周面を形成し、前記第２管の上端に載置され、
（ｇ）前記第２固定ナットは、前記第１管が挿入される挿入口部と、その挿入口部の下方に前記第２固定リングのテーパ状外周面と同じ勾配で接するテーパ状内周面と、そのテーパ状内周面の下方に第２管の前記雄ネジ部と螺合する雌ネジ部が形成されている
ことを特徴とする、請求項１記載の寒冷地用水跳ね防止カバー。
【請求項３】
前記第２管の平滑部の外径寸法は、日本工業規格で規定するＪＩＳ−Ｋ６７４１による硬質ポリ塩化ビニル管の外径寸法と同じ寸法で形成されたことを特徴とする、請求項２記載の寒冷地用水跳ね防止カバー。
【考案の詳細な説明】
【技術分野】
【０００１】
本考案は、寒冷地のマンションのバルコニーにおいて、雨水等の排水に利用されるルーフドレインの水はね防止のために、縦樋に装着するカバーに関する。
【背景技術】
【０００２】
従来、マンション等の高層住宅のバルコニーには、雨水等を縦樋に排水する水まわり器具としてルーフドレインが設置されている。
ルーフドレインの種類によっては、上階からの縦樋（以下、「上階縦樋」と表す）を介して流れ落ちる雨水等の排水が下階のルーフドレイン（以下、「下階ルーフドレイン」と表す）に当たって飛び跳ね、下階ルーフドレイン周辺を濡らしてしまい、例えばバルコニーに洗濯物を干していると、その洗濯物が汚れてしまう問題があった。
【０００３】
そこで、水跳ね防止対策として、例えば特許文献１（実開平５−８３１３５号公報）の考案が提案されていた。
この考案によると、下階ルーフドレインを構成するドレイン本体の上に配置されるストレーナと、このストレーナに差し込み接続される上階縦樋との間に、この円周方向に亘り介在し且つ下端がドレイン本体の受皿部に当接する水跳ね防止スカートを備えた構造を採用することにより、上階縦樋から勢いよく流れ落ちる排水は、そのまま水跳ね防止スカートの内側からドレイン本体の接続筒部に入って下階の縦樋に流れ落ちるので、水が下階ルーフドレインの外方に飛び跳ねることは無くなる。
ちなみに、このような下階ルーフドレインに上階縦樋を差し込み接続する方式で使用されているルーフドレインの種類は、一般的に「中継用」として分類されている。
【０００４】
一方、寒冷地における下階ルーフドレインと上階縦樋の設置は、前述のような下階ルーフドレインに上階縦樋を差し込み接続する方式ではなく、両部材を縁切りし、部材間にある程度の空間部を設けている方式が慣例的におこなわれている。
ちなみに、この場合に使用されるルーフドレインの種類は、一般的に「屋上用」として分類されており、このルーフドレインを構成するドレイン本体の上に配置されるストレーナは、その側面と上面に多数のスリット状の通水孔を有するキャップ形状であり、上階縦樋の差し込み接続が不可となっている仕様である。
このような下階ルーフドレインと上階縦樋に空間部を設けて両部材を縁切りする方式は、冬期に上階縦樋内に雪が堆積し、屋外で寒暖を繰り返すうちに縦樋内の雪が氷となって徐々に成長しはじめるが、上階縦樋内に生成した氷がさらに成長する前に縁切りされた空間部から外部に排出することができるので、縦樋内で氷が体積膨張することによる破損を防ぐことができる。
【先行技術文献】
【特許文献】
【０００５】
【特許文献１】実開平５−８３１３５号公報
【考案の概要】
【考案が解決しようとする課題】
【０００６】
このように寒冷地においては、冬期の縦樋の破損防止上、下階ルーフドレインと上階縦樋間に空間部を設けていることから、冬期以外の時期に上階縦樋からの排水が下階ルーフドレインに当たって飛び跳ね、その周辺を濡らしてしまう問題が発生してしまう。
特許文献１のような下階ルーフドレインに上階縦樋を差し込み接続する方式は、水跳ねは防止できても、冬期、上階縦樋内に堆積した雪が氷となり、その氷を縦樋内から外部へ排出できる空間部を設けていないため、寒冷地の施工にそのまま採用することができない。
そのため、冬期は上階縦樋を破損させず、冬期以外の時期には下階ルーフドレイン周辺への水跳ねを防止することができる、寒冷地用水跳ね防止カバーを提供することを目的とする。
【課題を解決するための手段】
【０００７】
本考案の寒冷地用水跳ね防止カバーは、上階縦樋と下階ルーフドレインが縁切りされ空間部を設けている施工に用いられる寒冷地用水跳ね防止カバーであって、
上階縦樋に対して上下移動可能且つ移動後に適宜位置で固定可能に装着される第１スライド部材と、前記第１スライド部材の外方に配置し、前記第１スライド部材に対して上下移動可能且つ移動後に適宜位置で固定可能に装着される第２スライド部材で構成されたことを第１の特徴とする。
【０００８】
また、本考案の寒冷地用水跳ね防止カバーは、前記第１スライド部材は、第１管と、第１固定リングと、第１固定ナット及び脱落防止リングで構成され、
（ａ）前記第１管は貫通した中空筒体であり、上端部に雄ネジ部と、その雄ネジ部の連続した下方に平滑部と、その平滑部の下部に脱落防止リングを装着する溝を形成し、
（ｂ）前記第１固定リングは、その円周上に１個の切れ目とテーパ状外周面を形成し、前記第１管の上端に載置され、
（ｃ）前記第１固定ナットは、上階縦樋が挿入される挿入口部と、その挿入口部の下方に前記第１固定リングのテーパ状外周面と同じ勾配で接するテーパ状内周面と、そのテーパ状内周面の下方に第１管の前記雄ネジ部と螺合する雌ネジ部が形成されており、
前記第２スライド部材は、第２管と、第２固定リングと、第２固定ナットで構成され、
（ｅ）前記第２管は貫通した中空筒体であり、上端部に雄ネジ部と、その雄ネジ部の連続した下方に平滑部を形成し、
（ｆ）前記第２固定リングは、その円周上に１個の切れ目とテーパ状外周面を形成し、前記第２管の上端に載置され、
（ｇ）前記第２固定ナットは、前記第１管が挿入される挿入口部と、その挿入口部の下方に前記第２固定リングのテーパ状外周面と同じ勾配で接するテーパ状内周面と、そのテーパ状内周面の下方に第２管の前記雄ネジ部と螺合する雌ネジ部が形成されている
ことを第２の特徴とする。
【０００９】
また、本考案の寒冷地用水跳ね防止カバーは、前記第２管の平滑部の外径寸法は、日本工業規格で規定するＪＩＳ−Ｋ６７４１による硬質ポリ塩化ビニル管の外径寸法と同じ寸法で形成されたことを第３の特徴とする。
【考案の効果】
【００１０】
本考案の寒冷地用水跳ね防止カバーにより、冬期は、第１スライド部材の下面と第２スライド部材の下面が、上階縦樋の下面と同じ高さもしくはそれより上方になるように、前記第１スライド部材と前記第２スライド部材を上方に移動させることで、上階縦樋と下階ルーフドレインとの間に空間部を設け、冬期に上階縦樋内に氷が成長しても、氷がその空間部から逃げることができ、上階縦樋の破損を防ぐことができる。
また冬期以外の時期は、第２スライド部材が下階ルーフドレインのストレーナの周壁部をほぼ覆う状態になるように、前記第１スライド部材と前記第２スライド部材を下方に移動させることで、上階縦樋を介して流れ落ちる雨水等の排水が下階ルーフドレインに当たって外方に飛び跳ねても、あくまでも第２スライド部材を構成する第２管の内側でのことなので、下階ルーフドレイン周辺を濡らしてしまうのを防ぐことができる。
【００１１】
さらに、第２スライド部材を構成する第２管の平滑部の外径を、日本工業規格「ＪＩＳ  −Ｋ６７４１  硬質ポリ塩化ビニル管」に適用する寸法で設計しておけば、市販されているインクリーザの継手を装着できるので、万一、上階縦樋と下階ルーフドレインの間で芯ずれがある施工現場であっても、冬期以外の時期には、第２管の平滑部の下端にインクリーザを後付け装着し、さらに寒冷地用水跳ね防止カバーを下方に移動させて下階ルーフドレインのストレーナの周壁部をインクリーザで覆うことで、上階縦樋を介して流れ落ちる雨水等の排水が下階ルーフドレインに当たって外方に飛び跳ねても、あくまでもインクリーザの内側でのことなので、下階ルーフドレイン周辺を濡らしてしまうのを防止でき、冬期は寒冷地用水跳ね防止カバーを上方に移動させて、上階縦樋と下階ルーフドレインとの間に空間部を設けることができるため、上階縦樋の破損事故を防ぐことができる。
【図面の簡単な説明】
【００１２】
【図１】本考案の一実施例を示す、縦樋に装着する前の寒冷地用水跳ね防止カバーの断面図である。
【図２】図１に示す寒冷地用水跳ね防止カバーの第１スライド部材及び第２スライド部材を、部品毎に分解した断面図であり、図２（ａ）は第１スライド部材、図２（ｂ）は第２スライド部材である。
【図３】図１に示す寒冷地用水跳ね防止カバーの第１固定リング及び第２固定リングの外観斜視図であり、図３（ａ）は第１固定リング、図２（ｂ）は第２固定リングである。
【図４】図１の寒冷地用水跳ね防止カバーにおいて、冬期の装着位置の状態を示す断面図である。
【図５】図１の寒冷地用水跳ね防止カバーにおいて、冬期以外の時期の装着位置の状態を示す断面図である。
【図６】図１の寒冷地用水跳ね防止カバーにおいて、上階縦樋と下階ルーフドレイン間で芯ずれある施工現場に、第２管下方にインクリーザを装着した断面図であり、冬期以外の時期の図である。
【考案を実施するための形態】
【００１３】
以下、図面を用いて本考案を説明する。
図１は、本考案の一実施例を示す、縦樋に装着する前の寒冷地用水跳ね防止カバー（以下、「水跳ね防止カバー」と表す）の断面図である。
水跳ね防止カバー１の構成は、第１管１１と第１固定リング１２と第１固定ナット１３および脱落防止リング１４による第１スライド部材１０と、第２管２１と第２固定リング２２および第２固定ナット２３による第２スライド部材２０で構成される。
【００１４】
次に、第１スライド部材１０の詳細について、図１、図２及び図３を用いて説明する。
図２は、図１の水跳ね防止カバー１を構成する第１スライド部材１０と第２スライド部材２０を、部品毎に分解した断面図であり、図２（ａ）は第１スライド部材１０、図２（ｂ）は第２スライド部材２０である。
図３は、図１の水跳ね防止カバーにおいて、第１固定リング１２及び第２固定リング２２の外観斜視図であり、図３（ａ）は第１固定リング１２、図３（ｂ）は第２固定リング２２である。
前記第１スライド部材１０を構成する貫通した中空筒体の第１管１１は、上端部に雄ネジ部１１ａを形成し、その雄ネジ部１１ａの連続した下方に平滑部１１ｂを形成する。
さらに前記平滑部１１ｂの下部には溝１１ｃを形成し、その溝１１ｃには円周上に１個の切れ目を有する円形状の脱落防止リング１４が装着される。
円形状の第１固定リング１２は弾性を有する合成樹脂であり、その円周上に１個の切れ目１２ａとテーパ状外周面１２ｂが形成されており、前記第１管１１の上端に載置される。
第１固定ナット１３は、上階縦樋が挿入される挿入口部１３ａと、前記挿入口部１３ａの下方に第１固定リング１２のテーパ状外周面１２ｂと同じ勾配で接するテーパ状内周面１３ｂ、さらにそのテーパ状内周面１３ｂの下方には、第１管１１の前記雄ネジ部１１ａと螺合する雌ネジ部１３ｃが形成されている。
【００１５】
次に、前記第２スライド部材２０について、図１、図２及び図３を用いて説明する。
前記第２スライド部材２０を構成する貫通した中空筒体の第２管２１は、上端部に雄ネジ部２１ａを形成し、その雄ネジ部２１ａの連続した下方に平滑部２１ｂを形成する。
円形状の第２固定リング２２は弾性を有する合成樹脂であり、その円周上に１個の切れ目２２ａとテーパ状外周面２２ｂが形成されており、前記第２管２１の上端に載置される。
第２固定ナット２３は、第１管１１の前記平滑部１１ｂが挿入される挿入口部２３ａと、前記挿入口部２３ａの下方に第２固定リング２２のテーパ状外周面２２ｂと同じ勾配で接するテーパ状内周面２３ｂ、さらにそのテーパ状内周面２３ｂの下方には、第２管２１の前記雄ネジ部２１ａと螺合する雌ネジ部２３ｃが形成されている。
【００１６】
水跳ね防止カバー１の組立について、図２を用いて説明する。
はじめに、第２管２１の上端に第２固定リング２２を載置し、さらにその上方から第２固定ナット２３の雌ネジ部２３ｃと第２管２１の雄ネジ部２１ａとを螺合させ締め込む、つまり紙面上、上方から見て時計回りに回す。
この時、第２固定リング２２が縮径しない、つまり第２固定ナット２３のテーパ状内周面２３ｂが第２固定リング２２のテーパ状外周面２２ｂに接しない程度の第２固定ナット２３の締め込み量で、第２スライド部材２０の予備組立が完了となる。
次に、溝１１ｃに脱落防止リング１４を装着した第１管１１を、予備組立した第２スライド部材の２０の上方から第２固定ナット２３の挿入口部２３ａに挿入する。
この第１管１１の挿入量は、第１管１１と第２管２１の下面が同じ高さになる挿入量とする。
その後、第２固定ナット２３を締め込んで第２固定リング２２を縮径させ、第２スライド部材２０を第１管１１の平滑部１１ｂに固定する。
最後に、第１管１１の上端に第１固定リング１２を載置し、さらにその上方から第１固定ナット１３の雌ネジ部１３ｃと第１管１１の雄ネジ部１１ａとを螺合させ締め込む。
この時、第１固定リング１２が縮径しない、つまり第１固定ナット１３のテーパ状内周面１３ｂが、第１固定リング１２のテーパ状外周面１２ｂに接しない程度の第１固定ナット１３の締め込み量とする。
以上により、水跳ね防止カバー１の組立が完了となる。（図１の状態）
【００１７】
次に、本発明の水跳ね防止カバー１の上階縦樋Ｐへの装着について、図４及び図２を用いて説明する。
図４は、図１の実施例における水跳ね防止カバー１を上階縦樋Ｐに装着した断面図であり、冬期の装着位置の状態を示す断面図である。
なお図４において、下階ルーフドレイン５０及びその下端に接続される縦樋は外観図で示す。
上階縦樋Ｐの下方から、図１に示す組立が完了した水跳ね防止カバー１の第１固定ナット１３の挿入口部１３ａに、上階縦樋Ｐを挿入する。
その後、第１固定ナット１３を締めこむことで、テーパ状内周面１３ｂが第１固定リング１２のテーパ状外周面１２ｂに接し、さらに前記第１固定ナット１３を締めこむと、第１固定リング１２が縮径しその内面が上階縦樋Ｐに密着して、水跳ね防止カバー１が上階縦樋Ｐに固定される。
ちなみに、水跳ね防止カバー１を最短に縮めた全長は、上階縦樋Ｐに水跳ね防止カバー１を装着作業する関係上、上階縦樋Ｐ下端から下階ルーフドレイン５０上端までの長さより短くなるように設計されている。
【００１８】
図４を用いて、冬期における水跳ね防止カバー１の状態について説明する。
図４に示す水跳ね防止カバー１は、冬期における水跳ね防止カバー１の装着位置であるが、第２スライド部材２０の下端である第２管２１の下面及び第１スライド部材１０の下端である第１管１１の下面が、上階縦樋Ｐの下端の下面と同じ高さとなっている。
なお、前述の第１管１１と第２管２１の下面の高さは、上階縦樋Ｐの下面より上方の高さまで移動させてもよく、このように、水跳ね防止カバー１を縮めるつまり上方へ移動させることにより、上階縦樋Ｐと下階ルーフドレイン５０との間に空間部を設けることができるため、万一、冬期に上階縦樋Ｐ内に氷が成長しても、氷がその空間部から逃げることができ、上階縦樋Ｐの破損を防ぐことができる。
【００１９】
図５を用いて、冬期以外の時期における水跳ね防止カバー１の操作について説明する。
図５は、図１の実施例における水跳ね防止カバー１において、冬期以外の時期における装着位置の状態を示した断面図である。
なお図５において、下階ルーフドレイン５０及びその下端に接続される縦樋は外観図で示す。
冬期が終わり、縦樋内に雪が堆積することに起因する上階縦樋Ｐの破損事故の心配が必要ない場合は、図４の状態から、はじめに第２固定ナット２３を緩ませる、つまり紙面上、上方から見て反時計回りに回すことで、第２固定リング２２の縮径を解除し、第２固定リング２２内面が第１管１１に密着しているのも解除され、第２スライド部材２０のみを下方に移動させる。
この下方への移動は、最終的に第２固定リング２２の下面が脱落防止リング１４の上面に接触することで移動が止まり、再び第２固定ナット２３を締めこんで第２スライド部材２０を上下移動しないように固定する。
その後で、今度は第１固定ナット１３を緩ませて、第１固定リング１２の縮径を解除し、第１固定リング１２内面が上階縦樋Ｐに密着しているのも解除され、第１スライド部材１０を下方に移動させる。
この時、第２スライド部材２０は、第１スライド部材１０に固定された状態であるために、第１スライド部材１０と一緒に下方に移動する。
この下方への移動は、第２管２１が、側面と上面に多数のスリット状の通水孔５２ａを有するストレーナ５２の周壁部をほぼ覆う状態になるような位置まで移動させ、最後に第１固定ナット１３を締めこんで、第１管１１を上階縦樋Ｐとの間で上下移動しないように固定する。（図５の状態）
【００２０】
以上のように、水跳ね防止カバー１を伸長つまり下方へ移動させ、第２管２１で下階ルーフドレイン５０のストレーナ５２の周壁部を覆うことで、上階縦樋Ｐを介して流れ落ちる雨水等の排水が下階ルーフドレイン５０に当たって外方に飛び跳ねても、それはあくまでも第２管２１の内側でのことなので、下階ルーフドレイン５０周辺を濡らしてしまうのを防ぐことができる。
ちなみに、第２管２１がストレーナ５２の周壁部の上方から下方までの全てを覆ってしまうと、第２管２１が遮断壁となってしまい、下階ルーフドレイン５０を設置している階での排水がスムーズにドレイン本体５１内部に排水されなくなるため、ストレーナ５２の周壁部を完全に塞がない様、その周壁部の下方に若干の空間部を設けられる位置で水跳ね防止カバー１を伸長することが望ましい。
【００２１】
再び図５の状態から図４の状態、つまり冬期における水跳ね防止カバー１の上階縦樋Ｐへの装着位置に戻す時は、第２固定ナット２３を緩ませ、一度、第２固定リング２２の縮径を解除させた状態で、第２スライド部材２０の第２管２１の下面を、第１スライド部材１０の第１管１１の下面と同じ高さになるよう上方に移動させ、再び第２固定ナット２３を締めこんで第２スライド部材２０が上下移動しないように固定する。
その後、第１固定ナット１３を緩ませて、第１管１１及び第２管２１の下面が上階縦樋Ｐの下面と同じ高さになるよう上方に移動させ、再び第１固定ナット１３を締めこんで、第１スライド部材１０が上下移動しないように固定する。（図４の状態）
【００２２】
図６は、上階縦樋Ｐと下階ルーフドレイン５０間で芯ずれがある施工現場に対応した、本考案の水跳ね防止カバー１の冬期以外の時期の装着状態を示した断面図である。
上階縦樋Ｐと下階ルーフドレイン５０間で芯ずれがあると、冬期以外の時期に水跳ね防止カバー１を伸長させても、第２管２１の下面が、下階ルーフドレイン５０のストレーナ５２の上面に干渉してしまい、ストレーナ５２の周壁部を第２管２１で覆うことができなくなる可能性がある。
第２管２１の平滑部２１ｂの外径を、日本工業規格「ＪＩＳ−Ｋ６７４１  硬質ポリ塩化ビニル管」に適用する寸法で設計しておけば、市販されているインクリーザ７０を、図６に示すように第２管２１の平滑部２１ｂの下端に装着することが可能となるので、万一、上階縦樋Ｐと下階ルーフドレイン５０の間で芯ずれがある施工現場であっても、第２管２１の下端部にインクリーザ７０を後付け装着することにより、冬期以外の時期は、水跳ね防止カバー１を下方に移動させ、下階ルーフドレイン５０のストレーナ５２の周壁部をインクリーザ７０で覆うことで、ルーフドレイン５０周辺の水跳ねを防止できる。（図６の状態）
また、冬期においては、インクリーザ７０を一度取り外し水跳ね防止カバー１を図４に示す状態になるように上方に移動させるか、インクリーザ７０を装着したままでインクリーザ７０の下面が上階縦樋Ｐの下面と同じ高さもしくはそれより上方になるように水跳ね防止カバー１を上方に移動させると、上階縦樋Ｐの破損事故を防ぐことができる。
ちなみに、本実施例における第２管２１ｂの外径は、日本工業規格「ＪＩＳ−Ｋ６７４１  硬質ポリ塩化ビニル管」のＶＰ管の呼び径７５に規定する寸法で設計している。
【００２３】
なお、本実施例における水跳ね防止カバー１の各部材の材質は、合成樹脂を採用したが、金属製であっても良い。
ただし、金属を選択した場合は、図３に示す第１固定リング１２及び第２固定リング２２は、弾性を有する材質を選択することが必要となる。
【符号の説明】
【００２４】
Ｐ        上階縦樋
１        寒冷地用水跳ね防止カバー（水跳ね防止カバー）
１０      第１スライド部材
１１      第１管
１１ａ    雄ネジ部
１１ｂ    平滑部
１１ｃ    溝
１２      第１固定リング
１２ａ    切れ目
１２ｂ    テーパ状外周面
１３      第１固定ナット
１３ａ    挿入口部
１３ｂ    テーパ状内周面
１３ｃ    雌ネジ部
１４      脱落防止リング
２０      第２スライド部材
２１      第２管
２１ａ    雄ネジ部
２１ｂ    平滑部
２２      第２固定リング
２２ａ    切れ目
２２ｂ    テーパ状外周面
２３      第２固定ナット
２３ａ    挿入口部
２３ｂ    テーパ状内周面
２３ｃ    雌ネジ部
５０      下階ルーフドレイン
５１      ドレイン本体
５２      ストレーナ
５２ａ    通水孔
７０      インクリーザ
【図１】
0003191280.tif 000003
【図２】
0003191280.tif 000004
【図３】
0003191280.tif 000005
【図４】
0003191280.tif 000006
【図５】
0003191280.tif 000007
【図６】
0003191280.tif 000008